(57)【特許請求の範囲】
【請求項１】
コンクリート地盤上に防水層を敷設し、該防水層上に断面が連続する凹凸状に形成され、その下面側が排水部となる保水マットを配設し、さらに該保水マット上に人工土壌層を積層して、該人工土壌層及び前記保水マットの周囲を土留壁で囲繞した人工植栽において、
前記土留壁の高位側に配設された流入口と、前記土留壁の低位側もしくは前記人工土壌層の下底部に配設された流出口とを通水路で連通するとともに、該通水路に前記保水マットの排水部と連通する透孔を形成したことを特徴とする人工植栽。
【請求項２】
断面伏コ字状に形成された通水杆部と、その両側縁の下端から側方に夫々突成されて前記防水層上に固定される固定鍔縁とを備えた長尺状型材の周面に、連結溝をその長手方向に沿って形成し、隣接する型枠の端部を突き合わせて両型枠相互の連結溝に連結金具を差し渡して固定することにより、該型材を長手方向に連結して前記通水路を構成したことを特徴とする請求項１に記載した人工植栽。
【発明の詳細な説明】
【０００１】
【産業上の利用分野】
本発明は、通水機能に優れた人工植栽に関する。
【０００２】
【従来の技術】
ビルの屋上や屋外の人工地盤等のコンクリートからなる地盤上に植栽を人工的に行なう場合には、図８に示すように、コンクリート地盤ａ上に敷設した防水層ｂ上に、断面が連続する凹凸状に形成された保水マットｃを配設し、その上部にフィルタｄを介して積層した人工土壌層ｅの周囲を土留壁ｆで囲繞して所要形状の人工植栽ｇを形成している。前記保水マットｃは凹部が保水部ｈとなり、凸部の下面側が排水部ｉとなっており、フィルタｄを介して人工土壌層ｅの下部から滲出する雨水等を保水部ｈに保水して、オーバーフローした余剰水を凸部上面に形成した連通口ｊから前記排水部ｈに流入させ、該排水部ｈの水を土留壁ｆの下部に配設した排水パイプｋから植栽外に排水するようにしている。
【０００３】
【発明が解決しようとする課題】
かかる人工植栽ｇにあって、土留壁ｆの下部に配設される排水パイプｋと、保水マットｃの排水部ｉとからなる排水機構は、図９に示すように、植栽外の高位側の雨水を植栽内に導いて低位側に流す通水機構を兼ねるように施工される場合があり、この施工態様において、高位側の土留壁ｆに配設した排水パイプｋから保水マットｃの排水部ｉに流入した水は、保水マットｃの凹部の下面と防水層ｂとの間に配設されたスポンジ状の湛水シートｌ内を通って流れるものであるため、その許容流量に限界があり、大雨が降ると迅速な排水ができず、高位側の土留壁ｆの外側に水が溢れてしまうという不具合があった。
【０００４】
本発明は、かかる従来の不具合を解消し得る通水機能を備えた人工植栽の提供を目的とするものである。
【０００５】
【課題を解決するための手段】
本発明は、コンクリート地盤上に防水層を敷設し、該防水層上に断面が連続する凹凸状に形成され、その下面側が排水部となる保水マットを配設し、さらに該保水マット上に人工土壌層を積層して、該人工土壌層及び前記保水マットの周囲を土留壁で囲繞した人工植栽において、
前記土留壁の高位側に配設された流入口と、前記土留壁の低位側もしくは前記人工土壌層の下底部に配設された流出口とを通水路で連通するとともに、該通水路に前記保水マットの排水部と連通する透孔を形成したことを特徴とするものである。
【０００６】
この構成において、断面伏コ字状に形成された通水杆部と、その両側縁の下端から側方に夫々突成されて前記防水層上に固定される固定鍔縁とを備えた長尺状型材の周面に、連結溝をその長手方向に沿って形成し、隣接する型枠の端部を突き合わせて両型枠相互の連結溝に連結金具を差し渡して固定することにより、該型材を長手方向に連結して前記通水路を構成するようにしたものが好適な実施例として提案され得る。
【０００７】
【作用】
流入口と流出口とを連通する通水路によって、植栽の下部に通水空間が確保される。このため、大量の雨水が流入口から植栽内に流れ込んでも迅速に排水することができる。また、通水路に形成した透孔によって、保水マットの排水部の不要な水を排水することができる。
【０００８】
【実施例】
本発明の一実施例を図１〜図５について説明する。
【０００９】
１はビルの屋上や屋外の人工地盤等を構成するスラブコンクリートからなるコンクリート地盤であって、該コンクリート地盤１は、その地盤面を緩やかに傾斜させて勾配による高低差が生ずるように施工される。該コンクリート地盤１上には防水層２が敷設され、該防水層２上には土留壁３で囲繞して周囲と区画される人工植栽４が矩形等の所要形状で形成される。
【００１０】
高位側となる土留壁３の下部には角パイプからなる流入口５が配設される一方、低位側となる土留壁３の下部には同じく角パイプからなる流出口６が配設される。該流入口５及び流出口６は、その外壁側開口端にストレーナ７を、また内壁側開口端に通水フィルタ８を夫々備えており、該ストレーナ７によって落葉等のゴミの流入を防止し、通水フィルタ８によって土壌の流出を防止するようにしている。
【００１１】
９は、前記流入口５と流出口６とを連通する通水路であって、該通水路９は、防水層２上に列設される複数の長尺状型材１０と該長尺状型材１０を連結する連結金具１１とによって構成されている。
【００１２】
前記長尺状型材１０はアルミの押出し成形により形成されるものであって、図３に示すように、断面伏コ字状の通水杆部１２ａとその両側縁の下端から側方に夫々突成された固定鍔縁１２ｂ，１２ｂとを備え、さらに通水杆部１２ａの上面もしくは側面等の周面にはＬ形突縁１３，１３を対向状に突成して外方に開口する連結溝１４が長手方向に沿って形成されている。
【００１３】
一方、前記連結金具１１は、中央部が前後方向に亘って膨出した帯板状に形成され、その両側縁を前記Ｌ形突縁１３，１３との係合縁１５，１５としている。また、中央部には肉厚を貫通して螺合される複数の固定螺子１６が前後方向に沿って配設されている。
【００１４】
この連結金具１１は、係合縁１５，１５をＬ形突縁１３，１３に係合して連結溝１４内に嵌装される。そして、隣接する長尺状型材１０，１０の相互の端部を突き合わせ、その突き合わせ部で、両型枠１０，１０の連結溝１４，１４に連結金具１１を差し渡し、各固定螺子１６を締め付けることにより、該固定螺子１６の先端を連結溝１４の奥端面に当接させ、その反作用として連結金具１１の係合縁１５，１５をＬ形突縁１３，１３の内面に圧接させて固定することにより、隣接する長尺状型材１０，１０を連結するようにしている。
【００１５】
このように、通水路９の主体としてアルミ製の長尺状型材１０を用いることにより、土圧に対する充分な強度が得られ、切断加工が容易であり、軽量であるため、ビルの屋上等の人工地盤上での使用に適し、また、連結金具１１で容易に連結できるので現場施工が容易である等の利点がある。
【００１６】
かかる構成からなる通水路９の前後両端部を、土留壁３に配設された前記流入口５と流出口６の各内壁側開口端に夫々嵌合して連結することにより、該通水路９によって土留壁３の流入口５と流出口６を連通するようにしている。この時、長尺状型材１０の下部の固定鍔縁１２ｂ，１２ｂを両面テープによって防水層２上に固定するようにしてもよい。また、図２に示すように、流入口５と流出口６とが土留壁３に直交する線上になく横にずれている場合には、エルボ形に屈曲形成した長尺状型材１０’を介在させて通水路９を構成することにより、そのずれに対応することができる。
【００１７】
一方、土留壁３で囲繞される防水層２上には、前記通水路９を除く全面に亘って、スポンジ状の湛水シート１７、断面が連続する凹凸状に形成された保水マット１８が順に敷設され、さらに該保水マット１８と前記通水路９の上部に敷き詰めた通水フィルタ１９上に草木を植え込む人工土壌層２０が積層される。
【００１８】
前記保水マット１８はその凹部が保水部２１となり、凸部の下面側が排水部２２となっており、該排水部２２と保水部２１は、凸部の上面に開口した小孔状の連通口２３によって連通されている。そして、通水フィルタ１９を介して人工土壌層２０の下部から滲出する雨水等を保水部２１に保水し、オーバーフローした余剰水を前記連通口２３から凸部の下面側の排水部２２に流入させて湛水シート１７に湛水するようにしている。また、前記通水路９を構成する長尺状型材１０の下部には、排水部２２と連通する切欠溝状の透孔２４が所定間隔で形成され、湛水シート１７の余剰水を通水路９内に排水できるようにしている。
【００１９】
また、土留壁３の外部の防水層２上には、タイル等の舗装材２５が敷設され、該舗装材２５に排水用の溝路２６が形成される。
【００２０】
かかる構成にあって、降雨時において、コンクリート地盤１に設けられた高低差によって流れる雨水は、舗装材２５の溝路２６を通って高位側の土留壁３の流入口５から通水路９内に流れ込み、該通水路９を通って低位側の土留壁３の流出口６から即座に排水される。このため、大量の雨水が流入口５から流れ込んでも人工植栽４内に滞留せず、さらに流入口５が位置する高位側の土留壁３の外側に水が溢れることがない。
【００２１】
また、降雨後等において、排水部２２と連通する通水路９の透孔２４によって、湛水シート１７の余剰水を通水路９内に導き、流出口６から排水させることができる。さらに、通水路９と透孔２４によって、人工植栽４の下部に外部の新鮮な空気が流通し、植物の根の生育に必要な酸素を人工土壌層２０に供給することができる。
【００２２】
図６は他の実施例を示すものであって、この実施例は、植栽周囲の雨水等を人工植栽４内に導き、該人工植栽４の下底部に配設した流出口６’から排水させるようにしたものである。
【００２３】
この実施例にあって、コンクリート地盤１は、人工植栽４が形成される部分が最も低位となるように、地盤面を緩やかに傾斜させて施工され、その中心部にドレイン装置等の流出口６’が配設される。そして該流出口６’と、土留壁３に配設した複数の流入口５とを通水路９によって連通させるようにしている。その他の構成及び作用は前記実施例と同様である。
【００２４】
尚、本発明は、図７に示すように、防水層２上に押えコンクリート２７を打設して、その上部に人工植栽４を形成する施工方法にも適用可能である。
【００２５】
【発明の効果】
本発明は上述のように、土留壁の高位側に配設された流入口と、土留壁の低位側もしくは人工土壌層の下底部のコンクリート地盤に配設された流出口とを通水路で連通させるようにしたから、大量の雨水が流入口から流れ込んでも迅速に排水することができ、従来のような高位側の土留壁の外側に水が溢れてしまうという不具合を解消できる。また、通水路に保水マットの排水部と連通する透孔を形成したので、排水部の不要な水も排水できる等の優れた効果がある。
【図面の簡単な説明】
【図１】本発明に係る人工植栽の一実施例を示す概略縦断側面図である。
【図２】通水路の配設状態を示す人工植栽の概略横断平面図である。
【図３】通水路の斜視図である。
【図４】人工植栽の縦断側面図である。
【図５】人工植栽の拡大縦断正面図である。
【図６】本発明に係る人工植栽の他の実施例を示す縦断側面図である。
【図７】防水層上に押えコンクリートを打設した人工植栽の施工例を示す縦断側面図である。
【図８】従来構成の人工植栽の縦断側面図である。
【図９】従来構成の人工植栽の平面図である。
【符号の説明】
１  コンクリート地盤
２  防水層
３  土留壁
４  人工植栽
５  流入口
６  流出口
９  通水路
１０  長尺状型材
１１  連結金具
１２ａ  通水杆部
１２ｂ  固定鍔縁
１４  連結溝
１８  保水マット
２０  人工土壌層
２２  排水部
２４  透孔
【図１】
0003644990.tif 000002
【図２】
0003644990.tif 000003
【図３】
0003644990.tif 000004
【図４】
0003644990.tif 000005
【図５】
0003644990.tif 000006
【図６】
0003644990.tif 000007
【図７】
0003644990.tif 000008
【図８】
0003644990.tif 000009
【図９】
0003644990.tif 000010